(57)【要約】【課題】中皿上昇式液体吐出容器において、中皿がほぼ上限近くまで上昇したとき、ヘッドスペース内空気を容器体内液体と共にポンプ内へ吸込み、かつ吐出する欠点を解消させた。【解決手段】嵌合筒２２下端へ外向きフランジ２３を、かつ嵌合筒２２内面へシール突条２４を、それぞれ付設したシール栓２１を設けて、該シール栓の嵌合筒２２を上記容器の容器体口頸部４の内面へ嵌着させると共に、シール突条２４内へ、容器体へ装着させたポンプのシリンダ１３下部を挿通させ、かつ外向きフランジ２３外周部を容器体胴部の内壁面へ水密に嵌合させた。【選択図】    図１
2004255326.tif 000002
【特許請求の範囲】
【請求項１】
容器体底部内に上昇式中皿を有し、かつ容器体上部内へ垂下するシリンダ内から上方付勢されて起立する作動部材の上下動で、吸上げた液体を作動部材上端のノズルから吐出可能に形成した中皿上昇式液体注出容器において、
嵌合筒２２下端へ第１外向きフランジ２３を、かつ嵌合筒内面へシール突条２４を、それぞれ付設したシール栓２１を設けて、シール突条２４内へ上記シリンダ１３下部を水密に嵌合させると共に、第１外向きフランジ２３外周部を容器体胴部の内面へ当接させ、又嵌合筒２２を容器体口頸部４の内面へ水密に嵌合させた
ことを特徴とする中皿上昇式液体吐出容器。
【請求項２】
上記シール栓２１の第１外向きフランジ２３外周部を、下外方へ垂下する第１補強筒２５と、該補強筒下端から上外方へ起立する、容器体胴部内壁面への圧接筒２６とで、形成した上面開口の溝状部２８に形成した
ことを特徴とする請求項１記載の中皿上昇式液体吐出容器。
【請求項３】
上記中皿３１の中央部を、上記シリンダ１３下方が挿入可能な、上面開口の凹部３２に形成すると共に、該凹部上端よりも外方の中皿部分の上面形状を、上記シール栓の嵌合筒２２下端よりも外方シール栓部分の下面形状に対応させた形状として、中皿３１が上限まで上昇したとき、凹部３２内面と該凹部内へ挿入されたシリンダ部分外面とが、又上記シール栓外方部分の下外面と凹部上端よりも外方の中皿部分上面とが、当接ないし近接可能に形成した
ことを特徴とする、請求項１又は２記載の中皿上昇式液体吐出容器。
【請求項４】
上記シリンダの下部を、下向き段部１３ａを介して小外径部１３ｂに形成しておき、上記シール栓２１のシール突条２４内周面を、上記下向き段部１３ａよりも上方の大外径部１３ｃ外面へ水密に圧接させた
ことを特徴とする、請求項１、２又は３記載の中皿上昇式液体吐出容器。
【請求項５】
上記シール栓嵌合筒２２の外面へ下向き段部２９を形成し、又容器体口頸部４の内面へ上向き段部４ａを形成して、それ等両段部の係合によりシール栓２１が抜落ち不能に形成した
ことを特徴とする、請求項１、２、３又は４記載の中皿上昇式液体吐出容器。
【発明の詳細な説明】
【０００１】
【発明の属する技術分野】
本発明は中皿上昇式の液体吐出容器に関する。
【０００２】
【従来の技術】
例えば特許文献１が示すように容器体内底部に上昇式中皿を嵌合させておき容器上部へ装着させた縦形ポンプのシリンダを容器体内へ垂下させ、該シリンダ内から上方付勢されて起立する作動部材の上下動で容器体内液体をシリンダ内へ吸上げ、かつ該シリンダ内液体を作動部材上端のノズルから吐出するよう設けた形式の中皿上昇式の液体吐出容器が多数知られている。
【０００３】
【特許文献１】
特開２００２−２２４５９８号公報
【０００４】
【発明が解決しようとする課題】
上記容器の中皿は、収納液体のほぼ全体を吐出させるために、中央部を上面開口の凹部に形成し、収納液体減少で中皿が上限まで上昇したとき、上記シリンダ下部が中皿の凹部内へ入るよう設けているから、収納液体が高粘度の場合は、容器体内液体減少により中皿が上昇して該中皿凹部の上部がシリンダ下端の吸込み口よりも上方へ位置したとき、シリンダ外面に沿う等してシリンダ下端の吸込み口から容器体上端部内のヘッドスペースへ連通する吸気孔が発生し、そのため収納液体と共にヘッドスペース内空気がポンプ内へ吸込みされ、かつ吐出される。このように収納液体と共にポンプ内へ吸込みされた空気は加圧され、吐出と同時に加圧状態が解消するため急激に膨張することで破裂し共に吐出された液体を飛散させることがあった。
【０００５】
本発明は従来のこのような欠点を、ヘッドスペース内液体吸入を防止させることで除去するものである。
【０００６】
【課題を解決するための手段】
第１の手段として容器体底部内に上昇式中皿を有し、かつ容器体上部内へ垂下するシリンダ内から上方付勢されて起立する作動部材の上下動で、吸上げた液体を作動部材上端のノズルから吐出可能に形成した中皿上昇式液体注出容器において、
嵌合筒２２下端へ第１外向きフランジ２３を、かつ嵌合筒内面へシール突条２４を、それぞれ付設したシール栓２１を設けて、シール突条２４内へ上記シリンダ１３下部を水密に嵌合させると共に、第１外向きフランジ２３外周部を容器体胴部の内面へ当接させ、又嵌合筒２２を容器体口頸部４の内面へ水密に嵌合させた。
【０００７】
第２の手段として、上記第１の手段を有すると共に上記シール栓２１の第１外向きフランジ２３外周部を、下外方へ垂下する第１補強筒２５と、該補強筒下端から上外方へ起立する、容器体胴部内壁面への圧接筒２６とで、形成した上面開口の溝状部２８に形成した。
【０００８】
第３の手段として、上記第１又は第２の手段を有すると共に上記中皿３１の中央部を、上記シリンダ１３下方が挿入可能な、上面開口の凹部３２に形成すると共に、該凹部上端よりも外方の中皿部分の上面形状を、上記シール栓の嵌合筒２２下端よりも外方シール栓部分の下面形状に対応させた形状として、中皿３１が上限まで上昇したとき、凹部３２内面と該凹部内へ挿入されたシリンダ部分外面とが、又上記シール栓外方部分の下外面と凹部上端よりも外方の中皿部分上面とが、当接ないし近接可能に形成した。
【０００９】
第４の手段として、上記第１、第２、又は第３の手段を有すると共に上記シリンダの下部を、下向き段部１３ａを介して小外径部１３ｂに形成しておき、上記シール栓２１のシール突条２４内周面を、上記下向き段部１３ａよりも上方の大外径部１３ｃ外面へ水密に圧接させた。
【００１０】
第５の手段として、上記第１、第２、第３又は第４の手段を有すると共に上記シール栓嵌合筒２２の外面へ下向き段部２９を形成し、又容器体口頸部４の内面へ上向き段部４ａを形成して、それ等両段部の係合によりシール栓２１が抜落ち不能に形成した。
【００１１】
【発明の実施の形態】
以下図面について説明する。まず従来公知の部分について簡単に説明すると、１は胴部２下端面を開口する容器体で、胴部上端から肩部３を介して口頸部４を起立する。その胴部２下端には別に設けた底筒５が嵌合させてあり、かつ胴部の下部内へは上昇式の中皿３１が嵌合させてある。
【００１２】
１１は上記容器体へ装着させた縦形ポンプで、該ポンプは、容器体口頸部４外面へ装着筒１２を螺合させ、かつ該装着筒から容器体上部内へシリンダ１３を垂下し、該シリンダ内から上方付勢させて作動部材１４を起立し、該作動部材の上下動により容器体１内液体をシリンダ内へ吸上げ、かつ該シリンダ内液体を作動部材上端へ嵌合させた押下げヘッド１５のノズル１６から吐出可能に形成している。尚１７はポンプの圧縮比を高めるためにシリンダ内へ装着させたポペット状の吸込み弁体、１８はキャップである。
【００１３】
本発明においては、図２が示すように嵌合筒２２下端へ第１外向きフランジ２３を、かつ嵌合筒内面へシール突条２４を、それぞれ付設したシール栓２１を設けて、図３が示すように第１外向きフランジ２３外周部を容器体胴部の内面へ水密に嵌合させて嵌合筒２２を口頸部４の下部内面へ緊密に嵌合できるよう設けた。該シール栓２１は図示のように第１外向きフランジ外周部を、下方へ垂下する第１補強筒２５と該第１補強筒下端から上外方起立する圧接筒２６とで上面開口の溝状部２８に形成するとよく、又嵌合筒２２は上部外面を上部小径のテーパ状として、該テーパ部下端を下向き段部２９とし、該下向き段部を口頸部内面へ形成させた上向き段部４ａへ係合させている。
【００１４】
上記シール栓２１の下面形状に対応させた中皿３１は次のように形成させるとよい。
【００１５】
中皿３１は中央部を、シリンダ１３の下方が挿入可能な上面開口の凹部３２に形成し、該凹部上端から第２外向きフランジ３３を介して第２補強筒３４を垂下し、該大２補強筒下端から突出させた外方張出し壁部３５先端へ、容器体胴部の内壁面へ水密に接して上昇させる摺動筒３６を付設した。これ等は既述シール栓２１の嵌合筒下端外方のシール栓部分下面の形状に対応させて形成し、図４が示すように中皿３１が上限まで上昇したとき、凹部３２内面と、該凹部内へ挿入されたシリンダ部分外面とが、又上記シール栓外方部分の下外面と凹部３２上端よりも外方の中皿部分上面とが、当接ないし近接して、それ等の間に残っていた収納液体をポンプ操作により吸上げ、かつ吐出できるよう設ける。
【００１６】
シリンダ１３は、シリンダ下部を、下向き段部１３ａ  を介して小外径部１３ｂ  とし、下向き段部１３ａ  よりも上方部分を大外径部１３ｃ  に形成するとよく、ポンプ装着状態において、シール栓２１のシール突条２４内周面はシリンダ大外径部１３ｃ  の下部外周面へ圧接するよう設けている。
【００１７】
容器体内への液体充填は、図３が示すように容器体１内へシール栓２１、底筒５、中皿３１を嵌合させた状態で行うことが出来る。該充填の際、液面がシール突条２４近辺に位置するよう設けておき、該状態からシリンダ下部をシール突条２４内へ挿通させてポンプを容器体口頸部へ装着させる。容器体内液体はシール突条２４下方へ押込みされるシリンダ部分の体積に応じて溢水することとなり、溢れた液体はシリンダ下部の小外径部１３ｂ外面と、シール突条２４内周面との間に形成される隙間を通ってシリンダ外面と容器体口頸部４との間へ入り、又一部の溢水液体は下端開口を通ってシリンダ内へ入る。上記シール突条２４内周面がシリンダ大外径部１３ｃ部分外面へ接して上記隙間が閉塞されると同時にシリンダ１３ａの下降も停止する。従って収納液体の液面をシール突条２４よりも上方へ位置させることが出来る。
【００１８】
上記構成において、作動部材１４を上下動させると、容器体内液体３１はシリンダ１３下端からシリンダ内へ吸込みされてノズル１６から吐出され、該吐出による容器体内液体減少と共に中皿３１は上昇し、図４が示すように中皿３１の外周部上面がシール栓２１の下面へ接するまで上昇するが、シール栓２１のシール突条２４がシリンダ大外径部１３ｃ  外面へ水密に接しているため、シール突条２４上方に位置するヘッドスペース内空気がシリンダ１３内へ吸込みされることはない。
【００１９】
【発明の効果】
本発明は既述構成とするもので、請求項１記載の構成とすることで、シール栓２１の第１外向きフランジ２３が容器体肩部３の下面へ接する位置で停止し、かつ該シール栓のシール突条２４がシール栓下方の液体収納部分内とシール突条上方に形成されるヘッドスペース部分内とを水密に区分することとなり、よって収納液体が少なくなった後も収納液体と共にヘッドスペース内空気をポンプ内へ吸込みかつ収納液体と共に吐出することを防止できる。
【００２０】
請求項２のようにすることで、シール栓２１の圧接筒２７を容器体胴部２の上端部内壁面へ水密に圧接させることが出来、よって容器体内への液体充填時に容器体とシール栓との間を通って容器体内液体が洩れたり、又容器体内液体吐出時にヘッドスペース内空気が容器体とシール栓との間を通って容器体胴部内へ入ることがない。
【００２１】
請求項３のように形成することで、容器体内収納液体をほとんど残さず吐出させることが出来る。
【００２２】
請求項４のようにすることで、既述のように容器体内液体充填状態からポンプを装着させるに際し、容器体内の溢水をシール突条２４とシリンダの小外径部１３ｂとの間を通って容器体口頸部の上部内へ移動させることが出来、シール栓２１よりも下方にヘッドスペース下面が形成されることを防止することが容易である。
【００２３】
請求項５のように形成することで、容器体口頸部内へ嵌合されたシール栓の嵌合筒２２内へシリンダ下部を挿入させる際、シリンダとの摩擦抵抗により嵌合筒２２が所定位置よりも下方へ押下げられたり、又下方へ脱落したりすることを防止できる。
【図面の簡単な説明】
【図１】本発明容器の半断面図である。
【図２】ポンプ部分を除く容器部分の分解断面図である。
【図３】容器体内へ液体充填した状態で示す、容器の分解半断面図である。
【図４】容器体内液体がほぼ吐出された状態で示す半断面図である。
【符号の説明】
１…容器体                        ５…底筒
１１…縦形ポンプ              １２…装着筒
１３…シリンダ                １３ａ…下向き段部
１３ｂ…小外径部                １３ｃ…大外径部
１４…作動部材                ２１…シール栓
２２…嵌合筒                  ２３…第１外向きフランジ
２４…シール突条              ２５…第１補強筒
２６…圧接筒                  ２９…下向き段部
３１…中皿                    ３２…凹部
３３…第２外向きフランジ      ３４…第２補強筒
３５…外方張出し壁部          ３６…摺動筒
４１…収納液体
【図１】
2004255326.tif 000003
【図２】
2004255326.tif 000004
【図３】
2004255326.tif 000005
【図４】
2004255326.tif 000006